(57)【特許請求の範囲】
【請求項１】
基礎（２）と土台（１）との間に地震によるゆれを減少させるための鋼球（８）、この鋼球（８）を受けるための凹部を有する鋼球受け（１３）とからなる免振機構を備えた家屋において、前記土台（１）の下面に固定されたスプリング受け（１６）が形成された土台側金具（３）と、前記基礎（２）の上面に通気用空間（１１）が形成される様に該基礎（２）の上面に固定されたスプリング受け（１７）が形成された基礎側金具（４）と、この基礎側金具（４）のスプリング受け（１７）と前記土台側金具（３）のスプリング受け（１６）との間に介装された前記土台（１）を所定位置に復元させるスプリング（１４）と、前記土台（１）の側面より水平方向に設けた貫通孔（１５）と、前記基礎（２）の側面より水平に設けた貫通孔（１２）と、この貫通孔（１２）と前記貫通孔（１５）に前記土台（１）と前記基礎（２）の外側から貫通させた屈曲自在の連結材（９）とからなることを特徴とする通気式免震連結復元機構。
【発明の詳細な説明】
【０００１】
【発明の属する技術分野】
建築の免震機構に関するもので、より詳しくは、土台と基礎に設置し、床下の通気を良くし、転がり鋼球免震装置により、地震時による家屋のゆれを減少させ、土台と基礎を水平方向３６０度自由に動く連結装置により、土台の飛び上りを防止し、地震のゆれで発生する、土台基礎のズレの復元機構。
【０００２】
【従来の技術】
免震機構として鋼球受部がおちょこ型の物は有ったが、おちょこ型では鋼球を数個入れた時、具合が悪く、又おちょこ上を鋼球が転がると土台がわずかではあるが上下動をし、又免震のみで、通風、連結復元はすべてそれぞれ別々の機構が必要で、装置が複雑になり、戸建等の小建築には設置場所、コスト的にも実用にならず、現在でも戸建建築には使用されていない。
【０００３】
【発明が解決しようとする課題】
本発明は床下への十分なる通気、鋼球による転がり免震、土台と基礎の連結、地震時の土台と基礎のずれをスプリングの復元力を利用して、土台と基礎を定位置に復元し、地震が収まればすぐに日常の生活が出来る様にする機構を提供することを目的とするものである。
【０００４】
【課題を解決するための手段】
土台側スプリング受（１６）と、鋼球（８）と該鋼球（８）を受ける鋼球受（１３）とを有した土台側金具（３）と基礎側スプリング受（１７）を有する基礎側金具（４）とスプリング（１４）と連結材（９）とからなることを特徴とする。
【０００５】
【発明の実施の形態】
第一実施例を図１、図２、図３、図２３、図２４、図２５、図２６、図２７、図２８、について説明する、土台側金具（３）に土台側スプリング受（１６）と鋼球受（１３）止メ釘用穴（２６）を設けた土台側金具（３）を土台（１）にはめ、止メ釘（１８）で固定し、鋼球受（１３）には、ステンレス等の鋼球（８）を１〜数個入れる。
【０００６】
基礎側スプリング受（１７）、固定用のボルト（１０）を設けた基礎側金具（４）を基礎（２）に乗せ、ボルト（１０）で固定する。土台側金具（３）鋼球受（１３）ステンレスの鋼球（８）と基礎側金具（４）で通気用空間（１１）が形成される。
【０００７】
土台側スプリング受（１６）と基礎側スプリング受（１７）に図１０〜図１５の内のいづれかの形態でスプリングを設ける。土台（１）と基礎（２）の間を連結材（９）を貫通させて図１６、図１７又は図１８、図１９の方法で連結させる。
【０００８】
本発明は土台側金具（３）基礎側金具（４）鋼球受（１３）ステンレスの鋼球（８）により土台（１）と基礎（２）の間、柱の下方に多数設置され家の全周にわたり十分な通気用空間（１１）が出来るので、常時風が東西南北床下を吹き抜け、床下がいつも乾燥しているので、湿気による土台の腐りも少なく、又土中に発生する、放射性ラドンガスも十分な通気により吹きはらわれ、家屋内侵入を防ぎ肺ガン予防にもなる。
【０００９】
地震発生時には本発明装置が各柱の下方にあり、土台（１）と基礎（２）の間にある土台側金具（３）に設けた鋼球受（１３）に入れた１〜数個のステンレスの鋼球（８）と基礎側金具（４）との間での転がりにより、水平地震波により基礎（２）が激しくゆれても其のゆれは数分の１しか土台（１）には伝わらない、ゆえに家屋は此の免震機構により地震のゆれを数分の１に減少する事が出来る。
【００１０】
連結材（９）により土台（１）と基礎（２）は連結しているので地震の上下動でも、土台（１）は飛び上らず、地震の上下動は、水平動の２分の１以下で弱い。水平地震動では連結材（９）は凹部（１９）凹部（２７）を設けたことにより土台（１）と基礎（２）を水平に一定距離、前後、左右に各々５ｃｍ位３６０度自由に動く事が出来る。
【００１１】
神戸の大地震でも水平動は前後左右最大５ｃｍ位なので、基礎（２）は土台（１）に対して半径５ｃｍ位自由に動けば其の免震機構により水平地波を３００ガル以下に減衰出来、家屋の倒壊を防ぐ事が出来る。
【００１２】
地震時の激しいゆれで基礎（２）は土台（１）より数倍位大きくゆれ動き、だんだん地震が収まって来れば、土台側金具（３）と基礎側金具（４）に設けた、土台側スプリング受（１６）基礎側スプリング受（１７）の間のスプリング（１４）の復元により、土台（１）と基礎（２）は地震発生前の定位置に復元する。
【００１３】
土台（１）は木製、鋼管製、板金製、型鋼製等が有り、基礎も鉄筋コンクリート製、鋼管製、板金製、型鋼製等を使用する事が出来る。
【００１４】
屈曲自在な連結材（９）は、鉄、ステンレス製ワイヤーロープ、鉄、ステンレス製鎖、チェン等が使用出来る。
【００１５】
図２３の鋼球受（１３）の形状は、円形、角型、多角型、どれでも使用出来る。
【００１６】
基礎側金具（４）は図２５、図２６等、基礎への取付上土台と基礎の形状により多種類の形が考えられる。
【００１７】
土台側金具（３）は土台の形状、取付状況により多種類の形が考えられ図２７、図２８は其の一例である。鋼球受（１３）と鋼球（８）とを土台側金具（３）の下部に設け、基礎側金具（４）鋼球受（１３）の凹部（２８）との間で鋼球（８）が自由に転がり、免震機能を発揮出来れば型状はいか様でも差つかえない。
【００１８】
土台側スプリング受（１６）と基礎側スプリング受（１７）との間に設けるスプリング（１４）の形態は図１０〜図１５等各種ある。
【００１９】
図２０は現在一般に広く行われている戸建住宅のコンクリートの基礎（２）と土台（１）を連結する方法で、鉄棒の先をＬ字型にまげて他端にネジ部（２２）を設け、土台（１）を通してナット（２３）で固定する方法である。土台、基礎は完全に固定されており、垂直、水平方向に動く事は出来ない。
【００２０】
本発明の場合、土台（１）と基礎（２）の連結方法は大きく別けて、土台、基礎の外側を連結材（９）をもって連結する方法と、土台、基礎部材の中を貫通して連結する方法とが有る。
図１６〜図１９は土台と基礎部材の中を貫通して連結した図である。
【００２１】
図１９の様に連結材（９）には引抜防止のための折曲部（２０）を設ける、折り曲形状は引き抜けなければいか様でもよい。
【００２２】
図１６、図１７は連結材（９）の折曲部（２０）側を、基礎にコンクリートを流し込む時埋込み、連結材（９）の他端を土台（１）の下より上方に貫通させ、さらに水平方向に曲げ、さらにもう一度垂直方向に曲げて、土台（１）を貫通させ、土台（１）の下方にて結束金具（５）で固定したもので、連結材（９）を固定しやすい方法である。
【００２３】
通常連結材（９）は図２１の状態であるが、地震発生時には基礎は前後、左右、土台に対してゆれ図２２の状態になる、土台と基礎の間の通気用空間（１１）は基礎の移動に対して巾が狭いので土台（１）に凹部（１９）と基礎（２）に凹部（２７）を設け連結材（９）の屈曲をしやすい様にした。
【００２４】
本発明の土台側金具（３）、基礎側金具（４）、鋼球受（１３）、鋼球（８）を土台（１）基礎（２）間に設置すれば免震機構として機能する。
【００２５】
第二実施例、図４、図５、図６について説明する、
第一実施例と異なる点は、土台（１）と基礎（２）との連結方法である。連結材（９）を土台上面を通し基礎（２）の貫通孔（１２）を通して、土台、基礎の外側をぐるりと一周させ結束金具（５）で連結材（９）の両端を結束する。なお連結材（９）を土台（１）で固定する為、土台側金具（３）の両側の上端部に切込み（２１）を設けた構成。
【００２６】
第三実施例図７、図８、図９で説明する、
第一実施例と異なるのは土台と基礎の連結方法のみで、土台に貫通孔（１５）基礎に貫通孔（１２）を設け、連結材（９）を各貫通孔を通して土台（１）、基礎（２）をぐるりと一周させ、連結材の両端を結束金具（５）で結束した構成である。
【発明の効果】
本発明を使用する事により常時家屋の床下全周東西南北よりの風通しが良くなり床下の湿気を減少させ土台の腐食を防ぎ、白蟻等害虫の発生を少くし、特に地中より発生する放射性ラドンガスを床下の通気により吹きはらい、家屋内の侵入を防ぎ肺ガンの予防が出来る。
【００２７】
本発明の鋼球の転がり免震機構により、地震発生時には基礎は激しく前後、左右にゆれても、転がり鋼球により、ゆれの数分の１しか土台にゆれは伝わらない。家屋は地震の水平動の数分の１しか伝わらない事により、どんな大きな地震が来ても３００ガル以下で家屋は倒壊する事を防ぐ。
【００２８】
図２２に示す様に本発明は土台と基礎は屈曲自在の連結材で連結され、施工時に凹部（１９）と凹部（２７）を設けているので水平動３６０度自由に動き、上下動でも基礎に対し土台は飛び上る事はない。
【００２９】
本発明スプリング装置を装着していれば、地震時、土台と基礎は別々の振巾でゆれても、次第に地震が収まって来ると、スプリングの復元力で土台と基礎は元の位置に復元され、地震終了と同時に平常の生活にもどる事が出来る。
【図面の簡単な説明】
【図１】本発明の装着状態を示す斜視図
【図２】本発明の装着状態を示す正面図
【図３】本発明の装着状態を示す側面断面図
【図４】本発明の装着状態を示す斜視図
【図５】本発明の装着状態を示す正面図
【図６】本発明の装着状態を示す側面断面図
【図７】本発明の装着状態を示す斜視図
【図８】本発明の装着状態を示す正面図
【図９】本発明の装着状態を示す側面断面図
【図１０】本発明のスプリングの一実施例を示す図
【図１１】本発明のスプリングの一実施例を示す図
【図１２】本発明のスプリングの一実施例を示す図
【図１３】本発明のスプリングの一実施例を示す図
【図１４】本発明のスプリングの一実施例を示す図
【図１５】本発明のスプリングの一実施例を示す図
【図１６】本発明の土台、基礎連結の正面図
【図１７】本発明の土台、基礎連結の正面断面図
【図１８】本発明の土台、基礎の連結の正面図
【図１９】本発明の図１８の側面断面図
【図２０】従来の土台、基礎の連結断面図
【図２１】本発明の図１８、図１９の平常時の図
【図２２】本発明の図１８、図１９の地震時の状態を示す図
【図２３】本発明の土台側金具、鋼球受、鋼球の底面図
【図２４】本発明の図２３及び基礎側金具の側面断面図
【図２５】本発明の基礎側金具の一実施例を示す斜視図
【図２６】本発明の基礎側金具の一実施例を示す斜視図
【図２７】本発明の土台側金具の一実施例を示す斜視図
【図２８】本発明の土台側金具の一実施例を示す斜視図
【符号の説明】
１  土台
２  基礎
３  土台側金具
４  基礎側金具
５  結束金具
６  地面
７  柱
８  鋼球
９  連結材
１０  ボルト
１１  通気用空間
１２  貫通孔
１３  鋼球受
１４  スプリング
１５  貫通孔
１６  土台側スプリング受
１７  基礎側スプリング受
１８  止メ釘
１９  凹部
２０  折曲部
２１  切込み
２２  ネジ部
２３  ナット
２４  基礎用市販ボルト
２５  ボルト用穴
２６  止メ釘用穴
２７  凹部
２８  凹部
【図１】
0003840335.tif 000002
【図２】
0003840335.tif 000003
【図３】
0003840335.tif 000004
【図４】
0003840335.tif 000005
【図５】
0003840335.tif 000006
【図６】
0003840335.tif 000007
【図７】
0003840335.tif 000008
【図８】
0003840335.tif 000009
【図９】
0003840335.tif 000010
【図１０】
0003840335.tif 000011
【図１１】
0003840335.tif 000012
【図１２】
0003840335.tif 000013
【図１３】
0003840335.tif 000014
【図１４】
0003840335.tif 000015
【図１５】
0003840335.tif 000016
【図１６】
0003840335.tif 000017
【図１７】
0003840335.tif 000018
【図１８】
0003840335.tif 000019
【図１９】
0003840335.tif 000020
【図２０】
0003840335.tif 000021
【図２１】
0003840335.tif 000022
【図２２】
0003840335.tif 000023
【図２３】
0003840335.tif 000024
【図２４】
0003840335.tif 000025
【図２５】
0003840335.tif 000026
【図２６】
0003840335.tif 000027
【図２７】
0003840335.tif 000028
【図２８】
0003840335.tif 000029